(57)【特許請求の範囲】
【請求項１】
コンピュータが、
利用者によりキー入力された暗証番号を取得し、通帳から読み取ったページ情報を取得する取得工程と、
記憶領域の暗証番号と、暗証番号のうちいずれの桁位置の値を置き換えるかを記録した口座情報を参照して、前記利用者によりキー入力された暗証番号について、前記口座情報で規定された桁位置の値を、前記通帳から読み取ったページ情報が示す番号に置き換える置き換え工程と、
前記置き換えた暗証番号と、前記記憶領域の暗証番号とが一致するか否かを判断する判断工程とを備える暗証番号判定方法。
【請求項２】
前記利用者によりキー入力された暗証番号は、前記ページ情報が示す番号に置き換えられる文字を含み、
前記置き換え工程は、前記利用者によりキー入力された暗証番号に含まれる前記文字の桁位置の値を、前記通帳から読み取ったページ情報が示す番号に置き換える請求項１に記載の暗証番号判定方法。
【請求項３】
利用者によりキー入力された暗証番号を取得し、通帳から読み取ったページ情報を取得する取得手段と、
記憶領域の暗証番号と、暗証番号のうちいずれの桁位置の値を置き換えるかを記録した口座情報を参照して、前記利用者によりキー入力された暗証番号について、前記口座情報で規定された桁位置の値を、前記通帳から読み取ったページ情報が示す番号に置き換える置き換え手段と、
前記置き換えた暗証番号と、前記記憶領域の暗証番号とが一致するか否かを判断する判断手段とを備える暗証番号判定装置。
【発明の詳細な説明】
【技術分野】
【０００１】
本発明は、端末に対して暗証番号を入力するための暗証番号判定方法及び暗証番号判定装置に関する。
【背景技術】
【０００２】
現在、ａｕｔｏｍａｔｉｃ  ｔｅｌｌｅｒ  ｍａｃｈｉｎｅ（以下、単にＡＴＭともいう。）を用いた現金の引き出しが幅広く行われている。ＡＴＭから、キャッシュカードのみを用いて現金を引き出す場合、まず、利用者は、ＡＴＭにキャッシュカードを挿入する。そして、ＡＴＭは、挿入されたキャッシュカードの磁気ストライプから口座情報を読み取る。そして、ＡＴＭは、読み取った口座番号とテンキーから入力された暗証番号とをセンターシステムに通知する。そして、センターシステムは、保有している口座番号に対する暗証番号と受信した暗証番号とが一致した場合、ＡＴＭ操作者を本人と認め、ＡＴＭ操作者と本人とが一致したか否かをＡＴＭに送信する。そして、ＡＴＭは、利用者による引出し操作を可能とする。
【特許文献１】特開２００１−３３７９２４号公報
【発明の開示】
【発明が解決しようとする課題】
【０００３】
近年、偽造・盗難キャッシュカードを用いた、本人成り済ましによる不正な現金引出しの犯罪が後を絶たない。対応策として、偽造・盗難が難しいといわれている生体情報（手のひら静脈認証や指静脈認証等）を用いた認証システムが提案されている。
【０００４】
しかし、上記の対策には、新たな投資が必要であり、投資金額も少なくないと言われている。すなわち、上記の対策を行うことはコストが高いという問題点がある。そのため、即時に対応可能な金融機関と、対応に時間が掛かる金融機関とが発生することが予想される。その結果、顧客から観て均等な安全対策がなされないという問題がある。
【０００５】
本発明は、上記の問題点に鑑みてなされたものであり、新たな機器やＩＣカード等媒体の追加を行わずにコストの増加を抑えつつ、現在ある資源を有効活用して比較的簡単な方法で、従来より暗証番号を強化して、本人確認の正確性の向上を図ることができる暗証番号判定方法及び暗証番号判定装置を提供することにある。
【課題を解決するための手段】
【０００６】
上記課題を解決するため、本発明の暗証番号判定方法は、コンピュータが、利用者により入力された暗証番号を取得し、通帳から読み取ったページ情報を取得する取得工程と、記憶領域の暗証番号と、暗証番号のうちいずれの桁位置の値を置き換えるかを記録した口座情報を参照して、前記利用者により入力された暗証番号について、前記口座情報で規定された桁位置の値を、前記通帳から読み取ったページ情報が示す番号に置き換える置き換え工程と、前記置き換えた暗証番号と、前記記憶領域の暗証番号とが一致するか否かを判断する判断工程とを備える。
【０００７】
また、本発明の暗証番号判定方法は、前記取得工程は、利用者により挿入されたキャッシュカードに記録された口座番号と通帳から読み取った口座番号とを取得する工程を含み、前記判断工程は、前記キャッシュカードに記録された口座番号と前記通帳から読み取った口座番号とが一致するか否かを判断する工程を含み、前記キャッシュカードに記録された口座番号と前記通帳から読み取った口座番号とが一致していない場合に取引を中断する中断工程を備える。
【００１０】
また、本発明の暗証番号判定装置は、利用者により入力された暗証番号を取得し、通帳から読み取ったページ情報を取得する取得手段と、記憶領域の暗証番号と、暗証番号のうちいずれの桁位置の値を置き換えるかを記録した口座情報を参照して、前記利用者により入力された暗証番号について、前記口座情報で規定された桁位置の値を、前記通帳から読み取ったページ情報が示す番号に置き換える置き換え手段と、前記置き換えた暗証番号と、前記記憶領域の暗証番号とが一致するか否かを判断する判断手段とを備える。
【発明の効果】
【００１１】
本発明は、コンピュータが、利用者により入力された暗証番号を取得し、通帳から読み取ったページ情報を取得し、記憶領域の暗証番号と、暗証番号のうちいずれの桁位置の値を置き換えるかを記録した口座情報を参照して、利用者により入力された暗証番号について、口座情報で規定された桁位置の値を、通帳から読み取ったページ情報が示す番号に置き換え、この置き換えられた暗証番号と、記憶領域の暗証番号とが一致しているか否かを判断する。そのため、本発明では、通帳が正しいものでなければ、例えば通帳を用いた現金引き出しなどの取引を行うことができないため、取引の安全性を向上させることができる。また、本発明は、たとえ暗証番号が漏洩したとしても、その暗証番号のうちのいずれを通帳のページ番号とするのかを知らなければ、取引を行うことができないため、通帳を用いた取引を行なう正当な権限を有する者（この者を本明細書では本人とする。この本人には、例えば口座の名義人から支払い取引を処理することを委任された代理人なども含む。）か否かの確認である本人確認の正確性を向上させることができ、通帳を用いた取引の安全性を向上させることができる。また、本発明は、例えば、キャッシュカードと通帳とを併用して現金の支払いなどの取引を行う場合、キャッシュカードが偽造、盗難などされた場合であっても、通帳が正しいものでなければ現金の支払いなどの取引を行うことができないため、取引の安全性を向上させることができる。
【００１２】
また、本発明は、キャッシュカードの挿入を受け付け、このキャッシュカードに記録された口座番号と通帳から読み取った口座番号とが一致していなければ取引を中断するため、有効な取引を行うためには通帳とキャッシュカードとの双方が必要となり、通帳を用いた取引を行なう正当な権限を有する本人か否かの確認である本人確認の正確性を向上させることができ、通帳を用いた取引の安全性を向上させることができる。
【００１３】
また、通帳から読み取ったページ情報が示す番号を使用するため、本発明のために特別な識別情報を通帳に設けることが不要であり、一般的に使用されている通帳を用いて本発明を実施できることとなり、コストの増加を防止することができる。
【００１４】
また、暗証番号のうちいずれの桁位置の値を置き換えるかを記憶領域に記録しているため、利用者は、通帳から読み取ったページ情報が示す番号をも知っていければ取引を行うことができないこととなり、さらに取引の安全性を向上させることができる。
【発明を実施するための最良の形態】
【００１５】
(１）システム構成
まず、本発明の暗証番号判定方法である、暗証番号入力方法の一実施形態について図面を参照して説明する。なお、以下に説明する本発明の暗証番号入力方法の一実施形態の説明は、本発明の暗証番号判定装置である、暗証番号入力装置の一実施形態の説明を兼ねる。
【００１６】
まず、本発明の暗証番号入力方法の一実施形態の構成について図１を参照して説明する。図１は、本発明の暗証番号入力方法の一実施形態を実施するためのシステム構成図である。図１に示されるシステムでは、各金融機関のセンタシステムと各店ＡＴＭが銀行ネットワークにより接続され、各々の金融機関センタシステムが金融決済ネットワークにより
接続されている。なお、本発明の暗証番号入力方法の一実施形態では、利用者が取引を行う端末としてＡＴＭを一例としてあげるが、本発明の暗証番号入力方法はこのような場合に限定されるものではなく、銀行取引を行うことができる端末であれば、ＡＴＭに限定されるものではない。
【００１７】
また、各銀行センタシステムには口座データベース（以下、単にＤＢとも記す）が接続されている。なお、図１に示される例では、２つの金融機関システムが示されているのみであるが、本発明ではこのような場合に限定されるものではなく、相互に接続される金融機関システムは２以上の任意の数であってよい。
【００１８】
(２）ブロック図
次に、図１に示されるセンタシステムとＡＴＭとの機能について図２を参照して説明する。図２は、図１に示されるセンタシステムとＡＴＭとの内部ブロック図である。
【００１９】
図２の（ａ）に示されるように、センタシステムは、ホスト取引処理部２０２を備える。そして、ホスト取引処理部２０２は、どのような処理を行うのかを振分ける処理を行う振分け処理部２０６と、使用する暗証番号方式が、例えば通帳を用いるものか否かなどを決定する暗証番号方式照会処理部２０７と、暗証番号の変更処理を行う暗証番号変更処理部２０８と、利用者に現金を支払う際に口座から引き落としなどを行う支払取引処理部２０９と、残高照会などのその他の処理を行うその他取引処理部２１０とを備える。また、ＡＴＭには、ＡＴＭ取引処理部２０１が備えられている。ＡＴＭ取引処理部２０１は、利用者に対して必要な情報を画面表示する処理や、利用者からの情報の入力を受け付ける処理や、利用者からキャッシュカードを受け入れる処理や、利用者に現金を提供する処理などを行う。
【００２０】
例えば、図２の（ａ）に示される例において、Ａ銀行口座保有者が、Ａ銀行のＡＴＭを使用して支払処理を行う場合、ＡＴＭ内のＡＴＭ取引処理部２０１とＡ銀行センタシステム内のホスト取引処理部２０２との間で、例えば口座番号や、支払い額や、支払いの可否などの支払い処理のための情報の授受がなされる。
【００２１】
また、Ａ銀行口座保有者が、Ｂ銀行のＡＴＭ２０５を使用して支払処理を行う場合、ＡＴＭ取引処理部２０５にて、支払い額の入力などの支払い操作が利用者により行われ、ＡＴＭ取引処理部２０５から、例えば口座番号や支払い額などの支払い処理のための情報がＢ銀行センタシステムの他行宛中継処理部２０３及び金融決済ネットワーク２０４を経由して、Ａ銀行センタシステム内のホスト取引処理部２０２に送信される。その後、Ａ銀行センタシステム内のホスト取引処理部２０２において残高照会などの支払い処理がなされ、ＡＴＭ取引処理部２０５に対して支払いの可否などの情報が送信される。
【００２２】
また、図２の（ｂ）は、図２の（ａ）に示されるＡＴＭ取引処理部２０１の内部ブロック図である。図２の（ｂ）に示されるように、ＡＴＭ取引処理部２０１は、入力・表示部２１１と、挿入・排出部２１２と、認識部２１３と、判断部２１４と、ページ捲り部２１５と、中断部２１６とを備える。
【００２３】
入力・表示部２１１は、ＡＴＭに備えられたタッチパネル式のディスプレイの動作を制御する。例えば、入力・表示部２１１は、利用者がタッチパネル上に表示された文字や数値や動作を示す画像部分を指で触れたことを検知し、この検知した画像部分に対応する文字や数値や動作が利用者により指定されたことを検知する。また、入力・表示部２１１は、必要な情報をタッチパネルに表示することにより、利用者に情報を提供する。なお、本発明の暗証番号入力方法において用いられる入力手段としては、このようなタッチパネルに限定されるものではなく、キーボードやそのほかの物理的な上下動作により入力が行わ
れるテンキーなどの任意のものを利用することができる。
【００２４】
挿入・排出部２１２は、利用者がセットしたキャッシュカードや通帳をＡＴＭ内に取り込むと共に、利用が終了したキャッシュカードや通帳をＡＴＭ内から排出する動作を行う。また、認識部２１３は、キャッシュカードや通帳に形成された磁気ストライプなどに記録された口座番号などの情報を読み込んで認識する。また、認識部２１３は、通帳に印刷された縦バー又は横バーとして設けられたページ番号に関する情報を読み込んで認識する。この縦バー又は横バーの認識は、光を照射してその反射光を認識する方法を用いることができる。なお、本発明の暗証番号入力方法は、認識部２１３のページ番号の認識方法としてこのような場合に限定されるものではなく、通帳の各ページにページ番号を表す磁気情報が形成されているなどの他の方法を用いるとしても良い。
【００２５】
また、判断部２１４は、利用者から入力された暗証番号とホストから送信された暗証番号とが一致するか否かや、キャッシュカードの口座番号と通帳の口座番号とが一致しているか否かなどの各種の判断処理を行う。
【００２６】
ページ捲り部２１５は、ＡＴＭに挿入されている通帳の現在開かれているページと、通帳へ印刷を行うページとが異なっている場合に、通帳を現在開かれているページから印刷するページまで捲る機能を有する。このページ捲り部２１５は、例えばモータの先のコロが取り付けられ、このコロが通帳の各ページに接触し、モータの回転に合わせてコロが回転し、ページが捲れるという構成で良い。
【００２７】
中断部２１６は、現在行っている処理を中断する機能を有する。例えば、中断部２１６は、判断部２１４により、キャッシュカードの口座番号と通帳の口座番号とが一致していないと判断された場合に、例えば支払い取引を中断する。
【００２８】
(３）暗証番号変更取引
次に、本発明の暗証番号入力方法の一実施形態において、暗証番号の変更を行う際の動作について図３、図４、図５を参照して説明する。図３、図４及び図５は、本発明の暗証番号入力方法の一実施形態において、暗証番号の変更を行う際の動作のフローチャートである。図３、図４及び図５において、左側の部分が、利用者によるＡＴＭにおける取引操作、及び、後述する各種の処理を行う、ＡＴＭに設けられたＡＴＭ取引処理部の動作を示す。
【００２９】
また、図３、図４及び図５において、右側の部分が、センタシステムのホスト取引処理部に備えられた各部の動作を示す。なお、ホスト取引処理部には、以下に説明するように、振分け処理部と、暗証番号方式照会処理部と、暗証番号変更処理部と、支払取引処理部と、その他取引処理部とを備える。これら各部の動作については後述する。また、図３、図４及び図５に示されるフローチャートにおいて、四角でくくられた処理はＡＴＭ取引処理部の動作を示し、文字のまま示されている処理は利用者の処理を示す。
【００３０】
まず、Ｓ３−１において、ＡＴＭ取引処理部は、ＡＴＭに取引メニュー画面を表示する。この取引メニュー画面は、暗証番号を変更するための処理である「暗証番号変更取引」や、現金の支払いを求める処理である「支払取引」や、振込みを行う処理である「入金処理」などが表示されている画面である。もちろん、他の任意の処理を行わせるとしても良い。利用者は、画面に表示されているこれらの表示部分を指で触れることにより、取引を選択することができる。
【００３１】
次に、Ｓ３−２において、利用者がＡＴＭの表示画面に表示された「暗証番号変更取引」ボタンを押下する。なお、以下の説明において、ボタンを押下するとは、ＡＴＭの画面
に表示されたボタンなどの絵柄部分に、利用者が指で触れることをいう。利用者がＡＴＭの画面を指で触れることにより、その触れられた画面に対応する部分の電圧が変化し、その指で触れられた部分に対応して形成された図や文字などにより示される処理が利用者に選択されたことがＡＴＭが判別可能となっている。
【００３２】
次に、Ｓ３−３において、ＡＴＭ取引処理部は、ＡＴＭの表示画面に通帳及びキャッシュカードの挿入要求のメッセージを表示し、これらの挿入処理の必要性を利用者に知らせる。次に、Ｓ３−４において、利用者は誘導メッセージに従い、通帳及びキャッシュカードを挿入口へセットする。
【００３３】
次に、Ｓ３−５において、ＡＴＭ取引処理部は、挿入媒体としての通帳のセット待ちを行う。すなわち、ＡＴＭ取引処理部は、通帳のセットがされるまで待機する（Ｓ３−５−１）。次に、Ｓ３−６において、ＡＴＭ取引処理部は、セットされた通帳を吸入し、通帳の磁気ストライプに記録された情報を読込む。そして、ＡＴＭ取引処理部は、通帳が正常に読み込まれたか否かを判断する（Ｓ３−６−１）。ＡＴＭ取引処理部は、通帳の読込みが異常であれば、Ｓ３−１２へ移行する。
【００３４】
ＡＴＭ取引処理部は、読み込みが正常であれば、処理に必要な情報（口座番号等）をＡＴＭ内記憶領域に格納し、通帳ページ情報の読み込み処理を行う（Ｓ３−７）。ここで、通帳のページ情報は、例えば縦又は横のバーにより通帳に記録されている。ＡＴＭは、このバーをバーリーダにより読み取ることにより、その通帳のページを認識する。もちろん、本発明の通帳のページ情報の読込みはこのような方法に限定されるものではなく、そのほかの方法であっても良い。そして、ＡＴＭ取引処理部は、通帳ページ情報が正常読込みできたか否かを判断し（Ｓ３−７−１）、通帳のページ情報の読込みが異常であれば、Ｓ３−１２へ移行する。
【００３５】
そして、ＡＴＭ取引処理部は、通帳ページ情報の読み込みが正常であれば、ページ情報２桁をＡＴＭ内の記憶領域に格納する。ＡＴＭ取引処理部は、有効ページ情報が１桁の場合は、先頭にゼロをパディングしてページ情報を格納する。ここで、ＡＴＭ内の記憶領域に格納されるページ情報について図６を参照して説明する。図６は、本発明の暗証番号入力方法の一実施形態のＡＴＭに格納されるページ情報の概念図である。図６に示されるように、ページ情報１から９においては、ページ番号にゼロがパディング（挿入）されている。
【００３６】
次に、Ｓ３−８において、ＡＴＭ取引処理部は、キャッシュカードの挿入要求メッセージを表示して、キャッシュカードの挿入を待つ。そして、Ｓ３−９において、利用者がキャッシュカードをＡＴＭにセットする。
【００３７】
次に、Ｓ３−１０において、ＡＴＭ取引処理部は、セットされたキャッシュカードを吸入し、磁気ストライプに記録された情報を読込む。そして、ＡＴＭ取引処理部は、正常読み込みがなされたか否かを判断し（Ｓ３−１０−１）、キャッシュカードの磁気ストライプの情報の読込みが異常であれば、(Ｓ３−１２）へ移行する。
【００３８】
キャッシュカードの磁気ストライプの情報の読込みが正常であれば、ＡＴＭ取引処理部は、処理に必要な情報（口座番号等）をＡＴＭ内の記憶領域に格納する。そして、Ｓ３−１１において、ＡＴＭ取引処理部は、通帳とキャッシュカードから読み取ったそれぞれの口座番号の一致比較を行う。そして、ＡＴＭ取引処理部は、通帳とキャッシュカードから読取った口座番号とが一致しているか否かを判断し（Ｓ３−１１−１）、一致している場合(Ｓ３−１３）へ移行し、不一致の場合(Ｓ３−１２）へ移行する。
【００３９】
次に、Ｓ３−１２において、ＡＴＭ取引処理部は、それぞれのエラーに該当するエラーメッセージを表示し、該当取引を中断する。その後、処理はＳ３−１へ移行する。次に、Ｓ３−１３において、ＡＴＭ取引処理部は、取引コードに「暗証番号方式照会」を示すコードと、読込み口座番号とをセットして上り電文をホストに送信する。ここで、暗証番号方式照会取引上り電文形式について、図７を参照して説明する。図７は、本発明の暗証番号入力方法の一実施形態において送信される上り電文の構造の概念図である。
【００４０】
図７に示されるように、上り電文には、先頭から、電文のあて先などの情報を示す上り電文ヘッダーと、処理される取引を示す取引コードと、利用者が利用している口座の店舗や口座番号を示す店番／口座番号とが含まれる。図７において、９は複数桁の数字を表し、（）内はその桁数を表す。この点については、以下に説明するすべての電文形式において同様である。例えば、図７に示される取引コードは４桁であり、９００１の取引コードは暗証番号方式照会の取引を示す。
【００４１】
次に、ＡＴＭからの上り電文を受信した、ホスト処理部に設けられた振分け処理部は、取引の振分け処理を行う。振分け処理部は、上り電文に含まれている取引コードをチェックする（Ｓ３−１４）。そして、振分け処理部は、取引が、暗証番号方式照会か否かを判断し（Ｓ３−１４−１）、取引コードが「暗証番号方式照会」を示すものである場合、Ｓ３−１５へ移行する。
【００４２】
そして、振分け処理部は、取引コードが「暗証番号方式照会」を示すものでない場合、取引コードが「暗証番号変更」を示すものであるか否かを判断する（Ｓ３−１４−２）。そして、振分け処理部は、取引コードが「暗証番号変更」であれば、図５に示されるＳ３−４１へ移行し、取引コードが「暗証番号変更」でなければ、図１７以降で説明される支払い取引処理を行う。この支払い取引処理については後述する。
【００４３】
次に、Ｓ３−１５において、ホスト取引処理部に設けられた暗証番号方式照会処理部は、
他行ＡＴＭを使用して本取引が実行されているか否かをチェックする。他行ＡＴＭを使用しているとは、利用者が通帳を発行している銀行とは異なる銀行のＡＴＭにより本処理を行っていることをいう。そして、暗証番号方式照会処理部は、他行ＡＴＭ使用であるか否かを判断し（Ｓ３−１５−１）、他行ＡＴＭを使用している場合、(Ｓ３−１６）へ移行
し、自行ＡＴＭを使用している場合、(Ｓ３−１７）へ移行する。
【００４４】
次に、Ｓ３−１６において、暗証番号方式照会処理部は、本取引が他行ＡＴＭの使用を認めない処理部あるため、エラー応答を問合せを要求したＡＴＭに返信する。その後、Ｓ３−１２へ処理が移行する。
【００４５】
次に、Ｓ３−１７において、暗証番号方式照会処理部は、「暗証番号方式」、「暗証番号」、「暗証番号構成情報」を該当口座情報から読み出す。そして、暗証番号方式照会処理部は、問合せ要求のあったＡＴＭに暗証番号方式照会要求に対する応答電文を返信する。ここで、ホストに記録されている口座情報について図８を参照して説明する。図８は、本発明の暗証番号入力方法の一実施形態のホストに格納される口座情報の概念図である。
【００４６】
図８に示されるように、口座情報には、店番号・枝番号と、口座番号と、注意／事故情報と、口座残高と、暗証番号方式と、暗証番号と、便宜暗証番号と、暗証番号構成情報とを含む。
【００４７】
店番号・枝番号は、口座を管理している店舗を示す情報である。店番号により店舗を示し、枝番号により店舗に含まれる支店を示す。口座番号は、口座に一意に付与された管理
番号である。注意／事故情報は、口座に発生した事故などを含む情報である。口座残高は、口座に残された預金の残高を示す情報である。
【００４８】
暗証番号方式の情報は、利用者が使用する暗証番号が、すべてテンキーにより入力された情報により構成される場合か、または、通帳ページ番号とテンキー番号とからなる情報から構成される場合とのいずれかであるのかを示す情報である。
【００４９】
例えば、暗証番号方式の情報として、暗証番号がすべてテンキーである場合は、０が設定され、暗証番号が、通帳ページ番号とテンキーによる入力情報とからなる場合は、１が設定される。そして、０が設定されている場合は、暗証番号構成情報の参照は無効となる。また、１が設定されている場合は、暗証番号構成情報の参照が有効となる。
【００５０】
また、暗証番号の情報は、ページ番号を示す情報などが含まれていない、本来（真正）の暗証番号である。便宜暗証番号とは、暗証番号方式が１の場合の便宜的な暗証番号である。すなわち、利用者は、通帳のページ番号を用いた暗証番号を使用する場合、本来の暗証番号の１つの数字をページ番号に置き換える。そして、本来の暗証番号のうちの１つの番号がページ番号を示すＰに置き換わった暗証番号が便宜暗証番号である。なお、本来の暗証番号のうちの１つの番号がページ番号を示す文字はＰに限定されず、他の文字を用いても良い。
【００５１】
暗証番号構成情報は、４つの暗証番号のうち、いずれの１つの暗証番号がページ番号に置き換わっているのかを示す情報である。例えば、左端の数値が０である場合は、暗証番号の１桁目がテンキーから入力される情報であり、左端の数値が１である場合は、暗証番号の１桁目が通帳ページ番号の一位の値であることを示す。
【００５２】
以上から、例えば、暗証番号が１２３４であり、便宜暗証番号が１Ｐ３４（暗証番号構成情報が０１００)である場合は、２桁目が通帳ページ番号の一位の値であり、暗証番号
１，３，４桁目はテンキーからの入力値で構成されることを意味する。
【００５３】
次に、Ｓ３−１７において、ホストからＡＴＭに返信される応答電文について図９を参照して説明する。図９は、本発明の暗証番号入力方法の一実施形態において、ホストからＡＴＭに返信される、暗証番号方式照会要求に対する応答電文の概念図である。
【００５４】
図９に示されるように、応答電文には、先頭から、あて先などの情報を含む下り電文ヘッダーと、暗証番号方式と、暗証番号と、暗証番号構成情報とが格納されている。９は数度属性であり、（）内は桁数を示している。これらの情報は、前述の図８に示される情報と同じである。
【００５５】
次に、Ｓ３−１８において、ＡＴＭ取引処理部は、図９に示される受信した暗証番号方式照会要求に対する応答電文中から「暗証番号方式」、「暗証番号」、「暗証番号構成情報」を抽出し、ＡＴＭ内の記憶領域に記憶する。
【００５６】
そして、Ｓ３−１９において、ＡＴＭ取引処理部は、受信した暗証番号方式をチェックする。そして、ＡＴＭ取引処理部は、暗証番号方式が１か否かを判断し（Ｓ３−１９−１）、暗証番号方式が１の場合(Ｓ３−２０）へ処理を移行し、暗証番号方式が１でない場
合(Ｓ３−２１）へ処理を移行する。
【００５７】
そして、Ｓ３−２０において、ＡＴＭ取引処理部は、暗証番号変更取引の本人確認画面（１）を表示し、暗証番号入力要求を表示し、確認キー押下待ちを行う。その後、処理は図４に示されるＳ３−２２へ移行する。Ｓ３−２０において表示される画面は、図１０に
示される。図１０は、本発明の暗証番号入力方法の一実施形態において、ＡＴＭに表示される、暗証番号変更取引の本人確認画面（１）の一例の概略図である。
【００５８】
図１０の（ａ）は、暗証番号変更取引の本人確認画面（１）の一例を示し、図１０の（ｂ）は、テンキーからの入力に伴う暗証データ表示遷移例を示す。図１０の（ａ）に示される暗証番号変更取引の本人確認画面（１）の一例には、暗証番号の入力表示部１００１が表示されている。
【００５９】
さらに、図１０の（ａ）に示される暗証番号変更取引の本人確認画面（１）の一例には、暗証番号を入力するためのテンキー１００２と、入力内容を利用者が確定するための確認キー１００４と、入力内容を利用者が取り消すための取り消しキー１００５とが表示されている。
【００６０】
利用者は、このテンキー１００２を指などで触れることにより、数字などを選択し、情報を入力することができる。また、テンキー１００２には、ページ番号の入力を示すＰの文字の表示１００３が含まれている。利用者は、このＰのテンキーを指などで触れることにより、暗証番号中において通帳のページ番号を入力する位置を指定することができる。
【００６１】
暗証番号の入力処理について図１０の（ｂ）を参照して説明する。図１０の（ｂ）に示されるように、例えば利用者が１、Ｐ、３と順次入力した場合、暗証番号の入力表示部１００１には、３つの＊が順次、左から表示される。この＊は、暗証番号の内容を表示させないために用いられる。
【００６２】
次に、暗証番号方式が１でない場合に、Ｓ３−２１において表示される画面について図１１を参照して説明する。図１１は、本発明の暗証番号入力方法の一実施形態において、ＡＴＭに表示される、暗証番号変更取引の本人確認画面（２）の一例の概略図である。
【００６３】
図１１に示される画面には、暗証番号の入力表示部１１０１と、暗証番号を入力するためのテンキー１１０２と、入力内容を確定するための確認キー１１０３と、入力内容を取り消すための取消しキー１１０４とが表示されている。なお、図１１に示されるテンキー１１０２には、図１０の（ａ）に示されるテンキー１００２のように、ページ番号を示すＰの文字は含まれていない。これは、図１１に示される画面が表示される場合は、暗証番号方式として０、すなわち、通帳を用いない処理が選択された場合だからである。
【００６４】
Ｓ３−２１において、ＡＴＭ取引処理部は、図１１に示される本人確認画面（２）を表示する。次に、Ｓ３−２２において、利用者は本人確認のため、図１０又は図１１に示される画面上から、暗証番号の入力と確認キーの押下を行う。そして、Ｓ３−２３において、ＡＴＭ取引処理部は、暗証番号の入力と確認キーの押下を待つ（Ｓ３−２３−１)。そ
して、確認キーが押下されると処理はＳ３−２４へ移行する。
【００６５】
Ｓ３−２４において、ＡＴＭ取引処理部は、暗証番号方式をチェックする。そして、ＡＴＭ取引処理部は、暗証番号方式が１の場合Ｓ３−２６へ移行し、暗証番号方式が１でない場合Ｓ３−２５へ移行する（Ｓ３−２４−１）。
【００６６】
そして、Ｓ３−２５において、ＡＴＭ取引処理部は、利用者が本人確認のためにテンキーから入力した暗証番号と既受信済暗証番号の一致チェックを行う。そして、ＡＴＭ取引処理部は、このチェック結果として不一致の場合、Ｓ３−３２へ移行し、一致の場合Ｓ３−３３へ移行する（Ｓ３−２５−１）。
【００６７】
次に、Ｓ３−２６において、ＡＴＭ取引処理部は、既受信済暗証番号と暗証番号構成情
報から登録済通帳ページ番号１桁（一位）を求める。この登録済み通帳ページの導出について図１２を参照して説明する。図１２は、本発明の暗証番号入力方法の一実施形態における、登録済み通帳ページの導出の概念図である。図１２に示されるように、例えば、暗証番号構成情報２桁目が「１」であり、暗証番号の２桁目が「２」である場合、使用者が挿入する通帳のページ番号一位は「２」であることがわかる。
【００６８】
次に、Ｓ３−２７において、ＡＴＭ取引処理部は、求めた登録済通帳ページ番号１桁（一位）と、既読込済通帳ページ番号２桁のうちの１桁（一位）とを比較する。ＡＴＭ取引処理部は、双方の数値が一致する場合Ｓ３−２８の処理へ移行し、不一致の場合Ｓ３−３２の処理へ移行する（Ｓ３−２７−１）。
【００６９】
Ｓ３−２８において、ＡＴＭ取引処理部は、テンキーから入力された便宜暗証番号から比較用の暗証番号構成情報を作成する。すなわち、ＡＴＭ取引処理部は、テンキーから入力された「０」〜「９」文字を「０」に置換し、「Ｐ」文字を「１」に置換することで比較用の暗証番号構成情報を作成する。
【００７０】
ここで、Ｓ３−２８における、便宜暗証番号から暗証番号構成情報を作成する動作例について説明する。例えば、（ａ）便宜暗証番号が１２３４であるならば、暗証番号構成情報は００００となる。また、（ｂ）便宜暗証番号がＰ２３４であるならば、暗証番号構成情報は１０００となる。また、（ｃ）便宜暗証番号が１Ｐ３４であるならば、暗証番号構成情報は０１００となる。また、（ｄ）便宜暗証番号が１２Ｐ４であるならば、暗証番号構成情報は００１０となる。さらに、（ｅ）便宜暗証番号が１２３Ｐであるならば、暗証番号構成情報は０００１となる。ここで、Ｐ（英大文字）は通帳ページ番号（一位）を表している。
【００７１】
次に、ＡＴＭ取引処理部は、Ｓ３−２９において、作成された比較用暗証番号構成情報と既受信済暗証番号構成情報とを比較する。そして、ＡＴＭ取引処理部は、双方の数値が一致する場合、Ｓ３−３０へ処理を移行し、不一致の場合、Ｓ３−３２へ処理を移行する（Ｓ３−２９−１）。
【００７２】
次に、Ｓ３−３０において、ＡＴＭ取引処理部は、テンキーから入力された便宜暗証番号と読込済通帳ページ番号から比較用の暗証番号を作成する。すなわち、ＡＴＭ取引処理部は、テンキーから入力された便宜暗証番号の中から「Ｐ」文字を探し、「Ｐ」文字が存在した場合、「Ｐ」文字部分を読込済通帳ページ番号１桁（一位）の値で置き換える。
【００７３】
ここで、便宜暗証番号から比較用暗証番号を作成する動作例について説明する。例えば、（ａ）便宜暗証番号が１２３４であり、ページ番号が０８である場合、比較用暗証番号は１２３４となる。また、（ｂ）便宜暗証番号がＰ２３４であり、ページ番号が０８である場合、比較用暗証番号は８２３４となる。また、（ｃ）便宜暗証番号が１Ｐ３４であり、ページ番号が０８である場合、比較用暗証番号は１８３４となる。また、（ｄ）便宜暗証番号が１２Ｐ４であり、ページ番号が０８である場合、比較用暗証番号は１２８４となる。さらに、（ｅ）便宜暗証番号が１２３Ｐであり、ページ番号が０８である場合、比較用暗証番号は１２３８となる。ここで、Ｐ（英大文字）は通帳ページ番号（一位）を表している。
【００７４】
次に、Ｓ３−３１において、ＡＴＭ取引処理部は、作成された比較用暗証番号と既受信済暗証番号とを比較する。そして、ＡＴＭ取引処理部は、双方の数値が一致する場合Ｓ３−３３へ移行し、不一致の場合Ｓ３−３２へ移行する（Ｓ３−３１−１）。ここで、本実施形態は、Ｓ３−２６〜Ｓ３−３１−１までのチェック処理をＡＴＭ取引処理部で行っているが、これらの処理をホストで行っても良い。次に、Ｓ３−３２において、ＡＴＭ取引
処理部は、それぞれのエラーに該当するエラーメッセージを表示し、取引を中断する。その後、処理はＳ３−１へ移行する。
【００７５】
次に、Ｓ３−３３において、ＡＴＭ取引処理部は、本人確認ができたため、新しい暗証番号の設定処理へ移行する。すなわち、ＡＴＭ取引処理部は、暗証番号方式選択画面を表示し、選択を待つ。ここで、ＡＴＭに表示される暗証番号方式選択画面について、図１３を参照して説明する。
【００７６】
図１３は、本発明の暗証番号入力方法の一実施形態のＡＴＭに表示される暗証番号方式選択画面の概念図である。図１３に示される画面には、選択した暗証番号方式の表示部１３０１と、暗証番号方式を示す数値の入力部であるテンキー１３０２と、入力した内容を確定するための確認キー１３０３と、入力した内容を取り消すための取消しキー１３０４とが表示されている。図１３に示される例では、暗証番号をすべてテンキーで入力する場合に０を入力し、暗証番号をテンキーと通帳ページ番号の組み合わせで入力する場合に１を入力する。
【００７７】
次に、Ｓ３−３４において、利用者は、暗証番号方式を選択する。そして、Ｓ３−３５において、ＡＴＭ取引処理部は、選択された暗証番号方式をチェックする。そして、ＡＴＭ取引処理部は、利用者により選択された暗証番号方式が１の場合Ｓ３−３６へ移行し、利用者により選択された暗証番号方式が１でない場合Ｓ３−３７へ移行する（Ｓ３−３５−１）。
【００７８】
次に、Ｓ３−３６において、ＡＴＭ取引処理部は、暗証番号変更取引の暗証番号変更画面（１）の表示と暗証番号及び暗証番号構成情報入力要求、確認キー押下待ちを行う。確認キーが押下された後、Ｓ３−３８の処理に移行する。ここで、Ｓ３−３６において表示される画面について図１４を参照して説明する。図１４は、本発明の暗証番号入力方法の一実施形態における、暗証番号変更取引の暗証番号変更画面（１）の概略図である。
【００７９】
図１４に示される画面には、入力された暗証番号が表示される表示部１４０１と、入力された暗証番号構成情報が表示される表示部１４０２と、暗証番号や暗証番号構成情報を入力するためのテンキー１４０３と、入力内容を確定するための確認キー１４０４と、入力した内容を取り消すための取消しキー１４０５とが表示されている。テンキー１４０３には、ページ番号を示す文字Ｐが含まれている。
【００８０】
次に、Ｓ３−３７において、ＡＴＭ取引処理部は、暗証番号変更取引の暗証番号変更画面（２）の表示と暗証番号入力要求、確認キー押下待ちを行う。その後、ＡＴＭ取引処理部は、Ｓ３−３８の処理に移行する。ここで、Ｓ３−３７において表示される画面について図１５を参照して説明する。図１５は、本発明の暗証番号入力方法の一実施形態における、暗証番号変更取引の暗証番号変更画面（２）の概略図である。
【００８１】
図１５には、入力された暗証番号を表示する表示部１５０１と、暗証番号を入力するためのテンキー１５０２と、入力内容を確定するための確認キー１５０３と、入力した内容を取り消すための取消しキー１５０４とが表示されている。図１５に示される例では、図１４に示される例と異なり、暗証番号構成情報の表示部が表示されていない。
【００８２】
次に、Ｓ３−３８において、利用者は、図１４又は図１５に示される画面から、新しい暗証番号等の入力を行う。次に、Ｓ３−３９において、ＡＴＭ取引処理部は、確認キー押下を待つ。そして、ＡＴＭ取引処理部は、確認キーが押下されたか否かを確認し（Ｓ３−３９−１）、押下された場合に図５に示されるＳ３−４０に移行する。
【００８３】
Ｓ３−４０において、ＡＴＭ取引処理部は、上り電文に、取引コードに暗証番号変更を示す数値をセットすると共に、該当口座番号、変更された新暗証番号方式、暗証番号、暗証番号構成情報をセットする。そして、ＡＴＭ取引処理部は、この上り電文をホストに送信する。
【００８４】
ここで、Ｓ３−４０において送信される上り電文について図１６を参照して説明する。図１６は、本発明の暗証番号入力方法の一実施形態において、ＡＴＭが送信する暗証番号変更取引上り電文形式の概念図である。
【００８５】
図１６に示されるように、暗証番号変更取引上り電文には、先頭から、上り電文ヘッダーと、取引コードと、店番／口座番号と、暗証番号方式と、暗証番号と、暗証番号構成情報とが含まれている。これらの情報は、図８を参照して説明した情報と同じであるため詳細な説明を省略する。図１６では、例えば、暗証番号変更取引を行う場合、取引コードに、９００２が設定される。
【００８６】
次に、Ｓ３−４１において、ホスト取引処理部の暗証番号変更処理部は、変更後の新暗証番号方式、暗証番号、暗証番号構成情報の妥当性のチェックを行う。妥当性のチェックとは、例えば、暗証番号方式が１の場合、暗証番号が本来数字とページを示すＰとの組み合わせであるはずであるのに暗証番号が００００であった場合などに妥当ではないと判断することをいう。
【００８７】
次に、暗証番号変更処理部は、チェック結果に妥当性がない場合（エラー）、Ｓ３−４２へ移行し、チェック結果が妥当である場合Ｓ３−４４へ移行する。Ｓ３−４２において、暗証番号変更処理部は、妥当性エラーのため、エラー応答をＡＴＭに行う。次に、Ｓ３−４３において、ＡＴＭ取引処理部は、該当のエラーメッセージを表示し、取引を中断する。その後、ＡＴＭ取引処理部は、処理をＳ３−４６に移行させる。
【００８８】
次に、Ｓ３−４４において、暗証番号変更処理部は、変更後の新暗証番号方式、暗証番号、暗証番号構成情報を、該当する口座のそれぞれの情報に上書きする。また、暗証番号変更処理部は、変更後の新暗証番号方式、暗証番号、暗証番号構成情報から便宜暗証番号を作成し、該当する口座の情報に上書きする。そして、Ｓ３−４５において、暗証番号変更処理部は、問合せを行ったＡＴＭに対し、取引終了の応答を行う。そして、Ｓ３−４６において、ＡＴＭ取引処理部は、取引メニュー画面表示を行う。
【００８９】
(４）支払取引
次に、支払い取引について図１７から図２１を参照して説明する。図１７から図２１は、本発明の暗証番号入力方法の一実施形態の、支払い処理動作のフローチャートである。本実施形態の技術では、他行ＡＴＭを使用して取引をすることができない技術となっている。そのため、他行ＡＴＭ使用の場合と自行ＡＴＭ使用の場合との動作の違いを説明する。先ずは、他行ＡＴＭ使用の場合の動作から説明する。
【００９０】
まず、図１７に示されるＳ４−１において、ＡＴＭ取引処理部は、ＡＴＭのメモリ内のワーク領域を初期化する。次に、Ｓ４−２において、ＡＴＭ取引処理部は、ＡＴＭに取引メニュー画面を表示する。この取引メニューについては、図３のＳ３−１の部分において説明したので詳細な説明は省略する。次に、Ｓ４−３において、利用者が「支払取引」ボタンを押下する。
【００９１】
そして、Ｓ４−４において、ＡＴＭ取引処理部は、ＡＴＭ画面にキャッシュカードなどの媒体の挿入要求のメッセージを表示し、通帳の挿入の必要性を利用者に知らせる。次に、Ｓ４−５において、利用者は誘導メッセージに従い、キャッシュカードを挿入口へセッ
トする。
【００９２】
Ｓ４−６において、ＡＴＭ取引処理部は、セットされたキャッシュカードを吸入し、磁気ストライプに記録された情報を読込む。そして、ＡＴＭ取引処理部は、情報の読込みが正常な読み込みであるか否かを判断し（Ｓ４−６−１）、情報の読込みが異常であれば、Ｓ４−７へ移行する。また、ＡＴＭ取引処理部は、情報の読込みが正常であれば、処理に必要な情報（口座番号等）をＡＴＭ内記憶領域に格納した後、Ｓ４−８へ移行する。
【００９３】
Ｓ４−７において、ＡＴＭ取引処理部は、情報の読込みが異常である旨を示すエラーメッセージをＡＴＭに表示し、取引を中断する。その後、ＡＴＭ取引処理部は、処理をＳ４−１へ移行させる。次に、Ｓ４−８において、ＡＴＭ取引処理部は、支払取引画面の表示や、暗証番号入力の要求や、金額などの取引データ入力要求や、確認キーの押下を促す画面情報の表示などの確認キー押下待ちの処理を行う。
【００９４】
そして、Ｓ４−９において、利用者は暗証番号や支払いを受ける金額のデータの入力や、確認キーの押下を行う。そして、Ｓ４−１０において、ＡＴＭ取引処理部は、確認キーの押下待ちを行う。そして、ＡＴＭ取引処理部は、確認キーが押下されたか否かを判断し（Ｓ４−１０−１）、確認キーが押下されれば、処理をＳ４−１１へ移行させる。
【００９５】
次に、Ｓ４−１１において、ＡＴＭ取引処理部は、確認キー押下により、上り電文に支払取引コード、口座番号、支払金額、挿入された媒体が、例えば通帳であるのかキャッシュカードであるのかを判別すめたの情報をセットする。そして、ＡＴＭ取引処理部は、この上り電文をホストに送信する。その後、処理は図１９に示されるＳ４−１１−１に移行する。
【００９６】
次に、利用者が自行ＡＴＭを使用した場合の動作を図１８を参照して説明する。まず、Ｓ４−１２において、ＡＴＭ取引処理部は、ＡＴＭのメモリ内のワーク領域を初期化する。そして、Ｓ４−１３において、ＡＴＭ取引処理部は、ＡＴＭに取引メニュー画面を表示する。この取引メニュー画面については、図３のＳ３−１において説明した画面と同じであるためその詳細な説明を省略する。
【００９７】
次に、Ｓ４−１４において、利用者が「支払取引」ボタンを押下する。そして、Ｓ４−１５において、ＡＴＭ取引処理部は、通帳または、キャッシュカードの挿入要求のメッセージを表示する。
【００９８】
そして、Ｓ４−１６において、利用者は誘導メッセージに従い、通帳または、キャッシュカードをＡＴＭの挿入口へセットする。次に、Ｓ４−１７において、ＡＴＭ取引処理部は、挿入媒体のチェックを行う。そして、ＡＴＭ取引処理部は、セット媒体が通帳か否かを判断し、セットされたものが通帳である場合Ｓ４−１８へ移行し、通帳ではない場合Ｓ４−２４へ移行する（Ｓ４−１７−１）。
【００９９】
なお、本実施形態では、通帳のページ番号を暗証番号に用いる場合、必ず通帳をキャッシュカードよりも先にＡＴＭに挿入する方法を採用するものとする。このような方法により、通帳のページ番号を暗証番号に用いる際には、通帳とキャッシュカードの挿入順序を正しいものとする必要があり、ＡＴＭからの現金の引き出しの安全性を向上させることができる。ただし、本発明の暗証番号入力方法は、このように通帳をキャッシュカードに先にＡＴＭに挿入する場合に限定されるものではなく、その順序を逆又は任意のものとしても良い。
【０１００】
次に、Ｓ４−１８において、ＡＴＭ取引処理部は、セットされた通帳媒体を吸入し、通
帳の磁気ストライプに記録された情報を読込む。そして、ＡＴＭ取引処理部は、情報の読み込みが正常か否かを判断し（Ｓ４−１８−１）、情報の読込みが異常であればＳ４−２５へ処理を移行し、情報の読込みが正常であれば、処理に必要な情報（口座番号等）をＡＴＭ内の記憶領域に格納する。
【０１０１】
次に、Ｓ４−１９において、ＡＴＭ取引処理部は、通帳のページ情報を読込む。ここで、通帳のページ情報の読込み処理については、前述のＳ３−７における説明と同じであるため、詳細な説明を省略する。そして、ＡＴＭ取引処理部は、ページ情報の読み込みが正常か否かを判断し（Ｓ４−１９−１）、読込みが異常であればＳ４−２５へ処理を移行し、読込みが正常であれば、ページ情報２桁をＡＴＭ内記憶領域に格納し、有効ページ情報が１桁の場合は、先頭にゼロをパディングして格納する。ここで、Ｓ４−１９において、ＡＴＭに格納されるページ情報については、前述の図６を用いて説明した場合と同様であるため、その詳細な説明を省略する。
【０１０２】
次に、Ｓ４−２０において、ＡＴＭ取引処理部は、キャッシュカードの挿入要求メッセージを表示して、キャッシュカードの挿入を待つ。そして、Ｓ４−２１において、利用者がキャッシュカードをセットする。
【０１０３】
そして、Ｓ４−２２において、ＡＴＭ取引処理部は、セットされたキャッシュカードを吸入し、磁気ストライプに記録された情報を読込む。そして、ＡＴＭ取引処理部は、磁気ストライプの情報が正常に読み込まれたか否かを判断し（Ｓ４−２２−１）、読込みが異常であればＳ４−２５へ移行し、読込みが正常であれば、読み込まれた処理に必要な情報（口座番号等）をＡＴＭ内の記憶領域に格納する。その後、処理は、Ｓ４−２３へ移行する。
【０１０４】
次に、Ｓ４−２３において、ＡＴＭ取引処理部は、通帳及びキャッシュカードのそれぞれから読み取った口座番号が一致のするか否かの比較を行う。そして、ＡＴＭ取引処理部は、双方の口座番号が一致しているか否かを判断し（４−２３−１）、一致した場合Ｓ４−２６へ移行し、不一致の場合Ｓ４−２５へ移行する。
【０１０５】
次に、Ｓ４−２４において、ＡＴＭ取引処理部は、ＡＴＭにセットされたキャッシュカードを吸入し、磁気ストライプの情報を読込む。そして、ＡＴＭ取引処理部は、情報が正常に読み込まれたか否かを判断し（Ｓ４−２４−１）、読込みが異常であればＳ４−２５へ移行し、読込みが正常であれば、処理に必要な情報（口座番号等）をＡＴＭ内記憶領域に格納する。その後、ＡＴＭ取引処理部は、処理をＳ４−２６へ移行させる。次に、Ｓ４−２５において、ＡＴＭ取引処理部は、それぞれのエラーに該当するエラーメッセージを表示し、該当の取引を中断する。その後、ＡＴＭ取引処理部は、処理をＳ４−１２へ移行させる。
【０１０６】
次に、Ｓ４−２６において、ＡＴＭ取引処理部は、上り電文に対して、取引コードを「暗証番号方式照会」に変更し、口座番号をセットした後、この上り電文をホストに送信する。ここで、Ｓ４−２６において送信される暗証番号方式照会取引上り電文形式の説明については、図７を参照して行った説明と同様であるため、その詳細な説明を省略する。
【０１０７】
次に、Ｓ４−２７において、ホスト取引処理部の振分け処理部は、上り電文に含まれる取引コードをチェックする。次に、Ｓ４−２７−１において、振分け処理部は取引コードが暗証番号変更か否かをチェックする。そして、振分け処理部は、上り電文に含まれる取引コードが暗証番号変更を示す場合、図５に示されるＳ３−４１に移行する。このＳ３−４１以降の処理の説明は既に説明済みのため、詳細な説明を省略する。
【０１０８】
次に、振分け処理部は、上り電文に含まれる取引コードが暗証番号変更処理を示すものでない場合、図１９に示されるＳ４−１１−１に移行し、上り電文に含まれる取引コードが暗証番号方式照会を示すものか否かを判断する。振分け処理部は、上り電文に含まれる取引コードが暗証番号方式照会を示すものでない場合、図２１に示されるＳ４−１１−２に移行し、暗証番号方式照会である場合、Ｓ４−２８に処理を移行させる。
【０１０９】
次に、Ｓ４−２８以降の暗証番号方式照会処理部の処理について説明する。Ｓ４−２８において、暗証番号方式照会処理部は、他行ＡＴＭの使用の有無をチェックする。そして、暗証番号方式照会処理部は、他行ＡＴＭ使用か否かを判断し（Ｓ４−２８−１）、他行ＡＴＭ使用の場合Ｓ４−３０へ処理を移行させ、自行ＡＴＭ使用の場合Ｓ４−２９へ処理を移行させる。
【０１１０】
次に、Ｓ４−２９において、暗証番号方式照会処理部は、「暗証番号方式」、「暗証番号」、「暗証番号構成情報」を取引を行っている該当口座情報から読み出し、問合せ要求ＡＴＭに、これらの情報をセットした暗証番号方式照会要求に対する応答電文を返信する。その後、処理は、Ｓ４−３１へ移行する。
【０１１１】
ここで、該当の口座情報の構成は、前述の図８に示される。図８に関する説明は既述であるため、その詳細な説明を省略する。さらに、暗証番号方式照会要求に対する応答電文は、図９に示される。図９に関する説明は既述であるため、その詳細な説明を省略する。
【０１１２】
次に、Ｓ４−３０において、暗証番号方式照会処理部は、本取引が他行ＡＴＭの使用を認めない取引であるため、エラー応答を問合せ要求ＡＴＭに返信する。その後、処理はＳ４−３５へ移行する。
【０１１３】
次に、Ｓ４−３１において、ＡＴＭ取引処理部は、受信した暗証番号方式照会要求に対する応答電文中から「暗証番号方式」、「暗証番号」、「暗証番号構成情報」を抽出し、ＡＴＭ内の記憶領域に格納する。
【０１１４】
そして、Ｓ４−３２において、ＡＴＭ取引処理部は、受信した応答電文に含まれる暗証番号方式をチェックする。そして、ＡＴＭ取引処理部は、暗証番号方式の判断を行い（Ｓ４−３２−１)、暗証番号方式が１の場合Ｓ４−３４へ処理を移行させ、暗証番号方式が
１でない場合Ｓ４−３７へ処理を移行させる。
【０１１５】
そして、Ｓ４−３４において、ＡＴＭ取引処理部は、取引を行うためには通帳及びキャッシュカードが両方必要であるため、通帳及びキャッシュカードが両方挿入済か否かをチェックする。そして、ＡＴＭ取引処理部は、両方が挿入済みであるか否かを判断し（Ｓ４−３４−１）、両方挿入済の場合Ｓ４−３６へ処理を移行させ、その他の場合Ｓ４−３５へ処理を移行させる。
【０１１６】
そして、Ｓ４−３５において、ＡＴＭ取引処理部は、それぞれのエラーに対応するのエラーメッセージを表示し、取引を中断する。その後、処理は、Ｓ４−１２へ移行する。そして、Ｓ４−３６において、ＡＴＭ取引処理部は、該当する支払い取引の本人確認画面（１）を表示し、暗証番号等入力要求、確認キー押下待ちを行う。その後、処理は、Ｓ４−３８へ移行する。ここで、Ｓ４−３６において表示される本人確認画面（１）について、図２２を参照して説明する。図２２は、本発明の暗証番号入力方法の一実施形態のＡＴＭに表示される本人確認画面（１）の一例の概念図である。
【０１１７】
図２２に示される画面には、入力された暗証番号の表示部２２０１、入力された金額を表示する表示部２２０２、暗証番号や支払い金額を入力するためのテンキー２２０３、入
力内容を確定するための確認キー２２０４と、入力した内容を取り消すための取消しキー２２０５とが表示されている。テンキー２２０３には、ページ番号を示す文字であるＰが含まれている。
【０１１８】
次に、Ｓ４−３７において、ＡＴＭ取引処理部は、暗証番号変更取引の本人確認画面（２）を表示し、暗証番号等入力要求、確認キー押下待ちを行う。その後、処理はＳ４−３８へ移行する。ここで、Ｓ４−３７において表示される本人確認画面（２）について図２３を参照して説明する。図２３は、本発明の暗証番号入力方法の一実施形態のＡＴＭに表示される本人確認画面（２）の一例の概念図である。
【０１１９】
図２３に示される画面には、入力された暗証番号の表示部２３０１、入力された金額を表示する表示部２３０２、暗証番号や支払い金額を入力するためのテンキー２３０３、入力内容を確定するための確認キー２３０４と、入力した内容を取り消すための取消しキー２３０５とが表示されている。図２３に示されるテンキーにはＰの文字が含まれていない。これは、Ｓ４−３７の処理では、通帳を使用しない処理であるため、通帳のページ番号を示す文字Ｐを入力する必要がないからである。
【０１２０】
次に、Ｓ４−３８において、利用者は、図２２又は図２３に示される画面から、暗証番号入力と該当データの入力（例：取引金額等）を行う。そして、Ｓ４−３９において、ＡＴＭ取引処理部は、確認キーの押下を待つ。そして、ＡＴＭ取引処理部は、確認キーが押下されたか否かを判断し（Ｓ４−３９−１）、確認キーが押下されていればＳ４−４０へ処理を移行させる。
【０１２１】
Ｓ４−４０において、ＡＴＭ取引処理部は、暗証番号方式をチェックする。そして、ＡＴＭ取引処理部は、暗証番号方式が１であるか否かを判断し（Ｓ４−４０−１）、暗証番号方式が１である場合、図２０に示されるＳ４−４２へ移行し、暗証番号方式が１でない場合は図２０に示されるＳ４−５２に移行する。
【０１２２】
そして、Ｓ４−４２において、ＡＴＭ取引処理部は、既受信済暗証番号と暗証番号構成情報から登録済通帳ページ番号１桁（一位）を求める。例えば前述の図１２を参照して再び説明すると、暗証番号構成情報２桁目「１」に対し、暗証番号の２桁目が「２」であることから、通帳ページ番号１桁は「２」であることが分かる。
【０１２３】
そして、Ｓ４−４３において、ＡＴＭ取引処理部は、求めた登録済通帳ページ番号１桁（一位）と既読込済通帳ページ番号２桁のうち、１桁（一位）とを比較する。そして、ＡＴＭ取引処理部は、双方のページ番号が一致したか否かを判断し（Ｓ４−４３−１）、一致する場合Ｓ４−４４に処理を以降させ、不一致の場合Ｓ４−４８に処理を移行させる。
【０１２４】
Ｓ４−４４において、ＡＴＭ取引処理部は、テンキーから入力された便宜暗証番号から比較用の暗証番号構成情報を作成する。すなわち、ＡＴＭ取引処理部は、テンキーから入力された「０」〜「９」文字を「０」に置換し、「Ｐ」文字を「１」に置換することにより比較用の暗証番号構成情報を作成する。
【０１２５】
ここで、Ｓ４−４４における、便宜暗証番号から暗証番号構成情報作成処理の一例について説明する。例えば、（ａ）便宜暗証番号が１２３４である場合、暗証番号構成情報は００００となる。また、（ｂ）便宜暗証番号がＰ２３４である場合、暗証番号構成情報は１０００となる。また、（ｃ）便宜暗証番号が１Ｐ３４である場合、暗証番号構成情報は０１００となる。また、（ｄ）便宜暗証番号が１２Ｐ４である場合、暗証番号構成情報は００１０となる。また、（ｅ）便宜暗証番号が１２３Ｐである場合、暗証番号構成情報は０００１となる。ここで、Ｐ（英大文字）は少なくとも１以上の桁数の通帳ページ番号の
一位を表現している。
【０１２６】
そして、Ｓ４−４５において、ＡＴＭ取引処理部は、作成された比較用暗証番号構成情報と既受信済暗証番号構成情報とを比較する。そして、ＡＴＭ取引処理部は、双方の数値が一致するか否かを判断し（Ｓ４−４５−１）、一致する場合は処理をＳ４−４６へ移行させ、不一致の場合は処理をＳ４−４８へ移行させる。
【０１２７】
そして、Ｓ４−４６において、ＡＴＭ取引処理部は、テンキーから入力された便宜暗証番号と読込済の通帳ページ番号から比較用の暗証番号を作成する。すなわち、ＡＴＭ取引処理部は、テンキーから入力された便宜暗証番号の「Ｐ」文字を探し、「Ｐ」文字が存在した場合、「Ｐ」文字部分を読込済通帳ページ番号１桁（一位）の値で置き換える。
【０１２８】
ここで、Ｓ４−４６において行われる、便宜暗証番号から比較用暗証番号を作成する処理の一例について説明する。例えば、（ａ）便宜暗証番号が１２３４であり、ページ番号が０８である場合、比較用暗証番号は１２３４となる。また、（ｂ）便宜暗証番号がＰ２３４であり、ページ番号が０８である場合、比較用暗証番号は８２３４となる。また、（ｃ）便宜暗証番号が１Ｐ３４であり、ページ番号が０８である場合、比較用暗証番号は１８３４となる。また、（ｄ）便宜暗証番号が１２Ｐ４であり、ページ番号が０８である場合、比較用暗証番号は１２８４となる。また、（ｅ）便宜暗証番号が１２３Ｐであり、ページ番号が０８である場合、比較用暗証番号は１２３８となる。ここで、Ｐ（英大文字）は少なくとも１桁以上の桁数である通帳ページ番号の一位を表現している。
【０１２９】
そして、Ｓ４−４７において、ＡＴＭ取引処理部は、作成された比較用暗証番号と既受信済暗証番号を比較する。そして、ＡＴＭ取引処理部は、双方の暗証番号が一致する場合Ｓ４−４９へ処理を移行させ、不一致の場合Ｓ４−４８へ処理を移行させる（Ｓ４−４７−１）。
【０１３０】
そして、Ｓ４−４８において、ＡＴＭ取引処理部は、暗証番号がホストチェックで必ず不一致となるデータ（例：００００）を暗証番号とする。その後、処理はＳ４−５３に移行する。
【０１３１】
また、Ｓ４−４９において、ＡＴＭ取引処理部は、作成された比較用暗証番号をホストチェック用暗証番号とする。すなわち、ＡＴＭ取引処理部は、作成された比較用暗証番号を暗証番号方式が１の場合のホストチェック用暗証番号とする。
【０１３２】
そして、Ｓ４−５０において、ＡＴＭ取引処理部は、挿入された通帳のページを印刷ページにページ送りするため、挿入された状態において開かれていた通帳のページ番号と通帳の磁気ストライプ中に印刷ページとして管理されているページ番号とを比較する。本説明は印刷ページ番号が通帳の磁気ストライプ上に管理されている場合の例である。ここで、印刷ページ番号の管理例について図２４を参照して説明する。図２４は、本発明の暗証番号入力方法の一実施形態に使用される通帳の概念図である。
【０１３３】
図２４に示されるように、本実施形態で使用される通帳２４００には、ページを示すページ情報２４０１と、ページ番号などを管理する磁気ストライプを備えている。ページ情報は、縦又は横の少なくとも１以上のバーにより構成されているが、本発明はこのような場合に限定されるものではない。磁気ストライプ２４０２により管理される情報には、印刷ページ２４０３と、印刷行２４０４と、口座番号２４０５と、通帳金額残高２４０６と、例えば当該通帳が何冊目であるかなどの情報などのその他情報２４０７とを含む。
【０１３４】
次に、Ｓ４−５０−１において、ＡＴＭ取引処理部は、挿入された状態において開かれ
ていた通帳のページ番号と通帳の磁気ストライプ中に印刷ページとして管理されているページ番号とが一致するか否かを判断し、双方のページ番号が一致する場合Ｓ４−５３へ処理を移行し、不一致の場合Ｓ４−５１へ処理を移行する。そして、Ｓ４−５１において、ＡＴＭ取引処理部は、ＡＴＭに搭載されている通帳ページ自動捲り機能により、印刷ページまでページ捲りを実施する。その後、処理はＳ４−５３へ移行する。
【０１３５】
ここで、Ｓ４−５１におけるページ捲りについて図２５を参照して説明する。図２５は、本発明の暗証番号入力方法の一実施形態において実施されるページ捲りの動作の概念図である。
【０１３６】
図２５に示されるように、本実施形態では、ページ番号を暗証番号に利用するために通帳２５００の所定のページ２５０１を開いて通帳をＡＴＭに挿入する。図２５に示される例では、ページ番号による暗証番号として２を用いる例を示す。よって、利用者は、通帳の２ページを開いた状態で、通帳２５００をＡＴＭに挿入する。なお、図２５に示される場合では、ページ番号２５０１，２５０２は数値により示されているが、これは説明の便宜のためであり、通常は、ページの数値は、縦又は横の少なくとも１以上のバーにより特定されている。もちろん、ページを示すものとして、本発明はこのようなバーによりページ情報が構成される場合に限定されるものではない。
【０１３７】
ＡＴＭは、ページ番号を読み取った後、読み取った通帳のページと印刷を行うページとが異なっている場合、通帳２５００に出金、入金の印刷などを行うため、通帳のページを印刷ページまで捲る。すなわち、ＡＴＭは、図２４に示されるページ情報２４０１に示されるページと、磁気ストライプに記録されている印刷ページ２４０３に示されるページとが異なっている場合、ページ捲りが必要であると判断する。
【０１３８】
図２５に示される例では、印刷ページ２５０２は８ページとなっている。そして、ＡＴＭは通帳を８ページまで捲り、通帳の８ページに印刷を行う。このように、本実施形態のＡＴＭは、暗号に利用するページと印刷用のページが異なっていても、通帳の適切な印刷ページを捲り、印刷を実行することができる。
【０１３９】
次に、Ｓ４−５２において、ＡＴＭ取引処理部は、入力された暗証番号のデータをそのままホストチェック用暗証番号とする。そして、Ｓ４−５３において、ＡＴＭ取引処理部は、顧客操作上の該当取引コード（例：支払コード）、口座番号、暗証番号、取引データ、挿入された媒体の情報（キャッシュカードや通帳の情報）を支払い取引上り電文に設定してホストに送信する。その後、処理は、Ｓ４−１１−１へ移行する。
【０１４０】
ここで、Ｓ４−５３において送信される支払取引上り電文形式の一例について、図２６を参照して説明する。図２６は、本発明の暗証番号入力方法の一実施形態において送信される支払取引上り電文形式の一例の概念図である。
【０１４１】
図２６に示されるように、送信される支払取引上り電文には、送信先などの情報を含む上り電文ヘッダー２６０１と、取引の種類を示す取引コード２６０２と、取引される店の番号や口座番号を示す店番／口座番号２６０３と、利用者の暗証番号を示す暗証番号２６０４と、取引される金額を示す取引金額２６０５と、使用された通帳がどの金融機関などの通帳であるかなどの情報である、通帳に関する情報を示す通帳情報２６０６と、使用されたキャッシュカードがどの金融機関のキャッシュカードであるのかなどを示すキャッシュカードに関する情報である、キャッシュカード情報２６０７とを含む。
【０１４２】
なお、図２６において、通帳情報の桁数と、キャッシュカード情報の桁数を示す（）内には、Ｘが示されている。これは、これらの情報の桁数が、本実施形態では任意であるこ
とを示す。
【０１４３】
次に、図２１に示される支払取引処理部の動作について説明する。Ｓ４−５４において、支払取引処理部は、他行ＡＴＭの使用の有無をチェックする。そして、支払取引処理部は、利用者が他行のＡＴＭを使用しているか否かを判断し（Ｓ４−５４−１）、他行ＡＴＭ使用の場合Ｓ４−５５へ処理を移行し、自行ＡＴＭ使用の場合Ｓ４−５７へ処理を移行する。
【０１４４】
そして、Ｓ４−５５において、支払取引処理部は、取引の対象となっている該当口座の暗証番号方式をチェックする。支払取引処理部は、暗証番号方式が１であるか否かを判断し（Ｓ４−５５−１）、暗証番号方式が１の場合Ｓ４−５６へ移行し、その他の場合Ｓ４−５７へ移行する。
【０１４５】
そして、Ｓ４−５６において、支払取引処理部は、暗証番号方式が１の場合、自行の通帳の使用が必須であり、他行ＡＴＭでは自行通帳はセット不可であることから、支払取引の選択がエラーであるとして、他行ＡＴＭに応答する。その後、処理は、Ｓ４−５９へ移行する。
【０１４６】
次に、Ｓ４−５７において、支払取引処理部は、ＡＴＭで入力された暗証番号と取引の対象となっている該当口座の暗証番号の一致チェックを行う。そして、支払取引処理部は、双方の暗証番号が一致した場合、Ｓ４−６０へ処理を移行し、不一致の場合Ｓ４−５８へ処理を移行する。
【０１４７】
そして、Ｓ４−５８において、支払取引処理部は、暗証番号が不一致であり、本人と認められないため、エラー応答を行う。その後、処理はＳ４−５９へ移行する。Ｓ４−５９において、ＡＴＭ取引処理部は、それぞれのエラーに該当するエラーメッセージを表示し、取引を中断する。その後、処理はＳ４−１２へ移行する。
【０１４８】
次に、Ｓ４−６０において、支払取引処理部は、取引の対象となっている口座から現金の引き落としが可能であり、取引が成立する旨をＡＴＭに通知するホスト支払取引処理を行うことにより、問合せＡＴＭに対し、取引成立応答を行う。そして、Ｓ４−６１において、ＡＴＭ取引処理部は、取引成立応答を受け、利用者に対して現金の支払を行う。
【０１４９】
次に、Ｓ４−６２において、ＡＴＭ取引処理部は、必要に応じて、取引金額や取引日時などに関して、通帳に印刷を行う。そして、Ｓ４−６３において、ＡＴＭ取引処理部は、挿入された媒体である通帳の排出を行う。そして、ＡＴＭは、処理を終了する。
【０１５０】
次に、Ｓ４−６４において、その他取引処理部は、ＡＴＭで入力された暗証番号とその他の取引において対象となっている該当口座の暗証番号の一致チェックを行う。そして、その他取引処理部は、双方の暗証番号が一致しているか否かの判断を行い（Ｓ４−６４−１）、一致の場合Ｓ４−６５へ処理を移行し、不一致の場合Ｓ４−６７へ処理を移行する。
【０１５１】
そして、Ｓ４−６５において、その他取引処理部は、例えば残高照会取引などのその他取引処理が可能であり、取引が成立した旨を問合せＡＴＭに対し通知するため、取引成立応答を行う。そして、Ｓ４−６６において、その他取引処理部は、それぞれの取引に応じた、取引処理を行う。その後、ホストは、処理を終了する。次に、Ｓ４−６７において、その他取引処理部は、暗証番号が不一致であり、本人と認められないため、エラー応答を行う。その後、処理はＳ４−５９へ移行する。
【０１５２】
このように、本発明の暗証番号入力方法の一実施形態は、ＡＴＭから現金等を引出しする際、暗証番号の入力を必要とするが、その暗証番号は、テンキーから入力した情報とＡＴＭに挿入した通帳のページ番号とを組み合わせた番号とする。その結果、金融機関等のＡＴＭを使用した支払取引における本人確認の強化を図ることができる。
【０１５３】
すなわち、本発明の暗証番号入力方法の一実施形態は、テンキーから入力する暗証番号と通帳のページ番号とを組み合わせ暗証番号とすることで、以下の効果が期待できる。
【０１５４】
（１）利用者利便とのトレード・オフの関係となるが、利用者が現金引出しする場合、キャッシュカードの他に、該当する口座の通帳が必要である。そのため、本実施形態では、通帳の規格が正しく、磁気ストライプ情報（書込規格：１ブロック／２ブロック方式、ストライプ形式は顧客毎に異なる、通帳残高のホストチェック有り）や、ページ情報（縦バー／横バーの２種類有り）が正しく読み込めなければならない。従って、現金の引き出しに正規の通帳が必要なため、偽造・盗難キャッシュカードを用いた、本人成り済ましによる不正な現金引出しの危険性を低減できる。
【０１５５】
（２）利用者が入力する暗証番号（本説明では便宜暗証番号と呼ぶ）は、本来（真正）の数字４桁ではなく、（ア）数字３桁と通帳ページ番号を表す文字１桁を加えた４桁で入力する必要がある。(イ)通帳ページ番号が４桁中、どの桁に該当するかの把握が必要である。（ウ）最初に挿入された通帳ページ番号が正しくなければならない。本実施形態では、以上（ア）〜（ウ）が合致している事が暗証番号解除の条件となることから、従来のテンキーだけの暗証番号入力よりも暗証番号自体の強度を増すことに繋がり、真正暗証番号を知るのみでは、取引を行う正当な権限のある者とは認められない。従って、本人成り済ましがしづらくなり、危険性を低減できる。
【０１５６】
なお、上記本発明の暗証番号入力方法の一実施形態では、通帳とキャッシュカードを併用した場合を例に説明したが、本発明は通帳だけを用いて実施されるとしても良い。また、ＡＴＭが設置される場所は、銀行だけではなく、コンビニエンスストアでも良いし、その他の量販店などの一般の店舗や、ＡＴＭ専用のブースであっても良い。
【０１５７】
また、本発明の暗証番号入力方法の一実施形態において使用される通帳としては、その大きさや形状について特に限定を加えるものではなく、任意のものを使用することができる。また、本発明の暗証番号入力方法の一実施形態において使用されるキャッシュカードとしては、口座情報などが磁気ストライプに記録されているものを用いたが本発明はこのような場合に限定されるものではなく、例えば、磁気ストライプに代えて、又は、磁気ストライプと共にＩｎｔｅｇｒａｔｅｄ  Ｃｉｒｃｕｉｔ（ＩＣ）チップに情報が記録されたキャッシュカードを用いるとしても良い。
【０１５８】
また、本発明の暗証番号入力方法の一実施形態の説明では、暗証番号の桁数として４桁である場合を例に説明したが、本発明の暗証番号入力方法はこのような場合に限定されるものではなく、暗証番号の桁数として２桁以上の任意の桁数であって良い。
【０１５９】
（付記１）  通帳から認識される認識情報を表す表示情報と、前記通帳の認識情報以外の情報を表す入力情報との組み合わせである組み合わせ情報の入力を受け付ける入力工程と、
挿入された通帳の前記認識情報を認識する認識工程と、
前記組み合わせ情報のうちの前記表示情報を、前記認識工程において認識された前記認識情報に置き換えて得られた情報が、利用者の暗証番号と一致しているか否かを判断する判断工程とを備える暗証番号入力方法。
【０１６０】
（付記２)  キャッシュカードの挿入を受け付ける挿入受付工程と、
前記キャッシュカードの口座番号と前記通帳との口座番号とが一致するか否かを判断する口座番号判断工程と、
前記キャッシュカードの口座番号と前記通帳との口座番号とが一致していない場合に取引を中断する中断工程とを備える付記１記載の暗証番号入力方法。
【０１６１】
（付記３）  前記認識情報が、前記通帳のページ番号である付記１記載の暗証番号入力方法。
【０１６２】
（付記４）  前記組み合わせ情報において、前記入力情報の中における前記表示情報の位置が指定されている付記１記載の暗証番号入力方法。
【０１６３】
（付記５）  前記認識情報を認識する際に開かれていた通帳のページと、該通帳に所定の情報を印刷するためのページとが異なっている場合に、前記認識情報を認識するために開かれているページから印刷するページまでページを捲る捲り工程を備える付記１記載の暗証番号入力方法。
【０１６４】
この付記５の発明によれば、認識情報を認識する際に開かれていた通帳のページと、通帳に所定の情報を印刷するためのページとが異なっている場合に、認識情報を認識するために開かれているページから印刷するページまでページを捲るため、通帳の正しいページに印刷を行うことができる。
【０１６５】
（付記６）  前記表示情報が文字であり、前記入力情報が数字である付記１記載の暗証番号入力方法。
【０１６６】
この付記６の発明によれば、表示情報と入力情報とに文字や数字を用いることができ、一般的に利用されている入力情報で表示情報と入力情報を構成することができ、本発明のための特殊な記号が不要となり、本発明を実施するためのコストを削減することができる。
【０１６７】
（付記７）  通帳から認識される認識情報を表す表示情報と、前記通帳の認識情報以外の情報を表す入力情報との組み合わせである組み合わせ情報の入力を受け付ける入力手段と、
挿入された通帳の前記認識情報を認識する認識手段と、
前記組み合わせ情報のうちの前記表示情報を、前記認識手段において認識された前記認識情報に置き換えて得られた情報が、利用者の暗証番号と一致しているか否かを判断する判断手段とを備える暗証番号入力装置。
【０１６８】
（付記８)  キャッシュカードの挿入を受け付ける挿入受付手段と、
前記キャッシュカードの口座番号と前記通帳との口座番号とが一致するか否か判断する口座番号判断手段と、
前記キャッシュカードの口座番号と前記通帳との口座番号とが一致していない場合に取引を中断する中断手段とを備える付記７記載の暗証番号入力装置。
【０１６９】
（付記９）  前記認識情報が、前記通帳のページ番号である付記７記載の暗証番号入力装置。
【０１７０】
（付記１０）  前記組み合わせ情報において、前記入力情報の中における前記表示情報の位置が指定されている付記７記載の暗証番号入力装置。
【０１７１】
（付記１１）  前記認識情報を認識する際に開かれていた通帳のページと、該通帳に所定の情報を印刷するためのページとが異なっている場合に、前記認識情報を認識するために開かれているページから印刷するページまでページを捲る捲り手段を備える付記７記載の暗証番号入力装置。
【０１７２】
（付記１２）  前記表示情報が文字であり、前記入力情報が数字である付記７記載の暗証番号入力装置。
【０１７３】
（付記１３）  コンピュータを、
通帳から認識される認識情報を表す表示情報と、前記通帳の認識情報以外の情報を表す入力情報との組み合わせである組み合わせ情報の入力を受け付ける入力手段、
挿入された通帳の前記認識情報を認識する認識手段、及び、
前記組み合わせ情報のうちの前記表示情報を、前記認識手段において認識された前記認識情報に置き換えて得られた情報が、利用者の暗証番号と一致しているか否かを判断する判断手段として機能させるためのプログラム。
【０１７４】
（付記１４)  前記コンピュータを、
キャッシュカードの挿入を受け付ける挿入受付手段、
前記キャッシュカードの口座番号と前記通帳との口座番号とが一致するか否か判断する口座番号判断手段、及び、
前記キャッシュカードの口座番号と前記通帳との口座番号とが一致していない場合に取引を中断する中断手段として機能させるための付記１３記載のプログラム。
【０１７５】
（付記１５）  前記認識情報が、前記通帳のページ番号である付記１３記載のプログラム。
【０１７６】
（付記１６）  前記組み合わせ情報において、前記入力情報の中における前記表示情報の位置が指定されている付記１３記載のプログラム。
【０１７７】
（付記１７）  前記認識情報を認識する際に開かれていた通帳のページと、該通帳に所定の情報を印刷するためのページとが異なっている場合に、前記認識情報を認識するために開かれているページから印刷するページまでページを捲る捲り手段を備える付記１３記載のプログラム。
【０１７８】
（付記１８）  前記表示情報が文字であり、前記入力情報が数字である付記１３記載のプログラム。
【図面の簡単な説明】
【０１７９】
【図１】本発明の暗証番号入力方法の一実施形態を実施するためのシステム構成図である。
【図２】図１に示されるセンタシステムとＡＴＭとの内部ブロック図である。
【図３】本発明の暗証番号入力方法の一実施形態において、暗証番号の変更を行う際の動作のフローチャートである。
【図４】本発明の暗証番号入力方法の一実施形態において、暗証番号の変更を行う際の動作のフローチャートである。
【図５】本発明の暗証番号入力方法の一実施形態において、暗証番号の変更を行う際の動作のフローチャートである。
【図６】本発明の暗証番号入力方法の一実施形態のＡＴＭに格納されるページ情報の概念図である。
【図７】本発明の暗証番号入力方法の一実施形態において送信される上り電文の構造の概念図である。
【図８】本発明の暗証番号入力方法の一実施形態において送信される上り電文の構造の概念図である。
【図９】本発明の暗証番号入力方法の一実施形態において、ホストからＡＴＭに返信される、暗証番号方式照会要求に対する応答電文の概念図である。
【図１０】本発明の暗証番号入力方法の一実施形態において、ＡＴＭに表示される、暗証番号変更取引の本人確認画面（１）の一例の概略図である。
【図１１】本発明の暗証番号入力方法の一実施形態において、ＡＴＭに表示される、暗証番号変更取引の本人確認画面（２）の一例の概略図である。
【図１２】本発明の暗証番号入力方法の一実施形態における、登録済み通帳ページの導出の概念図である。
【図１３】本発明の暗証番号入力方法の一実施形態のＡＴＭに表示される暗証番号方式選択画面の概念図である。
【図１４】本発明の暗証番号入力方法の一実施形態における、暗証番号変更取引の暗証番号変更画面（１）の概念図である。
【図１５】本発明の暗証番号入力方法の一実施形態における、暗証番号変更取引の暗証番号変更画面（２）の概念図である。
【図１６】本発明の暗証番号入力方法の一実施形態において、ＡＴＭが送信する暗証番号変更取引上り電文形式の概念図である。
【図１７】本発明の暗証番号入力方法の一実施形態の、支払い処理動作のフローチャートである。
【図１８】本発明の暗証番号入力方法の一実施形態の、支払い処理動作のフローチャートである。
【図１９】本発明の暗証番号入力方法の一実施形態の、支払い処理動作のフローチャートである。
【図２０】本発明の暗証番号入力方法の一実施形態の、支払い処理動作のフローチャートである。
【図２１】本発明の暗証番号入力方法の一実施形態の、支払い処理動作のフローチャートである。
【図２２】本発明の暗証番号入力方法の一実施形態のＡＴＭに表示される本人確認画面（１）の一例の概念図である。
【図２３】本発明の暗証番号入力方法の一実施形態のＡＴＭに表示される本人確認画面（２）の一例の概念図である。
【図２４】発明の暗証番号入力方法の一実施形態に使用される通帳の概念図である。
【図２５】本発明の暗証番号入力方法の一実施形態において実施されるページ捲りの動作の概念図である。
【図２６】本発明の暗証番号入力方法の一実施形態において送信される支払取引上り電文形式の一例の概念図である。
【符号の説明】
【０１８０】
２０１  ＡＴＭ取引処理部
２０２  ホスト取引処理部
２０３  他行宛中継処理部
２０４  金融決済ネットワーク
２０５  ＡＴＭ
２０６  振分け処理部
２０７  暗証番号方式照会処理部
２０８  暗証番号変更処理部
２０９  支払取引処理部
２１０  その他取引処理部
２１１  入力・表示部（入力手段）
２１２  挿入・排出部（挿入受付手段）
２１３  認識部(認識手段)
２１４  判断部（判断手段、口座番号判断手段）
２１５  ページ捲り部(捲り手段)
２１６  中断部（中断手段）
１００１  入力表示部
１００２  テンキー
１００３  文字の表示
１００４  確認キー
１００５  取消キー
１１０１  入力表示部
１１０２  テンキー
１１０３  確認キー
１１０４  取消しキー
１３０１  表示部
１３０２  テンキー
１３０３  確認キー
１３０４  取消キー
１４０１  表示部
１４０２  表示部
１４０３  テンキー
１４０４  確認キー
１５０１  表示部
１５０２  テンキー
１５０３  確認キー
１５０４  取消しキー
２２０１  表示部
２２０２  表示部
２２０３  テンキー
２２０４  確認キー
２２０５  取消しキー
２３０１  表示部
２３０２  表示部
２３０３  テンキー
２３０４  確認キー
２３０５  取消しキー
２４００  通帳
２４０１  ページ情報
２４０２  磁気ストライプ
２４０３  印刷ページ
２４０４  印刷行
２４０５  口座番号
２４０６  通帳金額残高
２４０７  その他情報
２５００  通帳
２５０１，２５０２  ページ
２６０１  上り電文ヘッダー
２６０２  取引コード
２６０３  店番／口座番号
２６０４  暗証番号
２６０５  取引金額
２６０６  通帳情報
２６０７  キャッシュカード情報
【図１】
0004791791.tif 000002
【図２】
0004791791.tif 000003
【図３】
0004791791.tif 000004
【図４】
0004791791.tif 000005
【図５】
0004791791.tif 000006
【図６】
0004791791.tif 000007
【図７】
0004791791.tif 000008
【図８】
0004791791.tif 000009
【図９】
0004791791.tif 000010
【図１０】
0004791791.tif 000011
【図１１】
0004791791.tif 000012
【図１２】
0004791791.tif 000013
【図１３】
0004791791.tif 000014
【図１４】
0004791791.tif 000015
【図１５】
0004791791.tif 000016
【図１６】
0004791791.tif 000017
【図１７】
0004791791.tif 000018
【図１８】
0004791791.tif 000019
【図１９】
0004791791.tif 000020
【図２０】
0004791791.tif 000021
【図２１】
0004791791.tif 000022
【図２２】
0004791791.tif 000023
【図２３】
0004791791.tif 000024
【図２４】
0004791791.tif 000025
【図２５】
0004791791.tif 000026
【図２６】
0004791791.tif 000027